(57)【要約】【課題】クランブル状の餌専用の家畜用給餌器であって、給餌口からクランブル状の餌が排出されるときに、当該クランブル状の餌が手前側に飛び散ってしまうことがなく、また、家畜のおもちゃとなって、食べられる量以上のクランブル状の餌が放出されてしまうことのない家畜用給餌器を提供する。【解決手段】家畜用給餌器１は、クランブル状の餌が収容される給餌槽２と、当該給餌槽２の下端に設けられた、前記クランブル状の餌を排出するための給餌口３と、当該給餌口３に臨ませて設けられた、排出された前記クランブル状の餌を受けるための餌受板４と、を備えている。そして、餌受板４は、水平状態となって固定されている。【選択図】図２
2020115829.tif 000002
【特許請求の範囲】
【請求項１】
クランブル状の餌が収容される給餌槽と、当該給餌槽の下端に設けられた、前記クランブル状の餌を排出するための給餌口と、当該給餌口に臨ませて設けられた、排出された前記クランブル状の餌を受けるための餌受板と、を備えた家畜用給餌器であって、
前記餌受板は、少なくとも前端部分を除く部分が水平状態となって固定されていることを特徴とする家畜用給餌器。
【請求項２】
前記給餌槽の前壁の下端と前記餌受板との間隙が前記給餌口とされ、
少なくとも前記前壁の下端部を前後に振動させることによって前記給餌口から前記クランブル状の餌が排出される、請求項１に記載の家畜用給餌器。
【請求項３】
前記給餌槽の前記前壁の下端部に、前後に振動させることが可能な板状の振動部材が設置され、前記振動部材の下端と前記餌受板との間隙が前記給餌口とされる、請求項２に記載の家畜用給餌器。
【発明の詳細な説明】
【技術分野】
【０００１】
本発明は、豚、牛等の家畜にクランブル状（顆粒状）の餌（クランブル飼料）を与えるために使用される家畜用給餌器に関する。
【背景技術】
【０００２】
従来、この種の家畜用給餌器としては、例えば、特許文献１に開示されたものが知られている。
特許文献１に開示された養豚用給餌器は、前壁部と後壁部との間隔を中間部から下端部に行くにしたがって漸次拡大してなる給餌槽（ホッパ）を設け、この給餌槽の下端部に後端部を支点として傾斜状態で上下回動自在とした調整板（餌受板）を設け、前記前壁部の下端と前記調整板との間隙を給餌口とした養豚用給餌器において、前記調整板の前側部で前記給餌口よりも前方に餌止凸部を形成したことを特徴とする。
かかる養豚用給餌器の構成によれば、豚は調整板上に保持された餌を食べるが、前記調整板上の餌が減少したときには、保持された餌による圧力も減少するため、給餌口から餌が順次排出され、前記調整板上には常時略一定量の餌が保持されることになる。また、前記調整板上に餌が無くなったときには、豚が鼻や口で前記調整板を上下に振動させることにより、前記給餌口から餌が排出される（以上、特許文献１の段落［００１６］及び図１を参照）。
【先行技術文献】
【特許文献】
【０００３】
【特許文献１】特開平１０−２４８４２６号公報
【発明の概要】
【発明が解決しようとする課題】
【０００４】
しかし、特許文献１に開示された養豚用給餌器の構成では、調整板が、後端部を支点として傾斜状態で上下回動自在とされているため、給餌口から餌が排出されるときに、餌が手前側に飛び散ってしまう虞がある。その結果、給餌器の周囲が汚くなるという課題があった。
また、特許文献１に開示された養豚用給餌器の構成では、豚が鼻や口で調整板を上下に振動させることによって給餌口から餌を排出させるときに、餌がつかえてしまうまで出てしまい、当該養豚用給餌器が豚のおもちゃとなって、食べられる量以上の餌が放出されてしまうという課題があった。
以上の課題は、サラサラしていて流動性に富むクランブル状（顆粒状）の餌（クランブル飼料）を使用する場合に特に顕著である。
【０００５】
本発明は、従来技術における前記課題を解決するためになされたものであり、クランブル状の餌専用の家畜用給餌器であって、給餌口からクランブル状の餌が排出されるときに、当該クランブル状の餌が手前側に飛び散ってしまうことがなく、また、家畜のおもちゃとなって、食べられる量以上のクランブル状の餌が放出されてしまうことのない家畜用給餌器を提供することを目的とする。
【課題を解決するための手段】
【０００６】
前記目的を達成するため、本発明に係る家畜用給餌器の構成は、
（１）クランブル状の餌が収容される給餌槽と、当該給餌槽の下端に設けられた、前記クランブル状の餌を排出するための給餌口と、当該給餌口に臨ませて設けられた、排出された前記クランブル状の餌を受けるための餌受板と、を備えた家畜用給餌器であって、
前記餌受板は、少なくとも前端部分を除く部分が水平状態となって固定されていることを特徴とする。
【０００７】
本発明の家畜用給餌器の上記（１）の構成によれば、餌受板の少なくとも前端部分を除く部分が水平状態となって固定されているため、給餌口からクランブル状の餌が排出されるときに、当該クランブル状の餌が手前側に飛び散ってしまうことはない。その結果、給餌器の周囲が汚くなることを防止することができる。また、給餌槽に振動を加えなければ給餌口からクランブル状の餌が排出されないため、当該家畜用給餌器が家畜のおもちゃとなって、食べられる量以上のクランブル状の餌が放出されてしまうことを防止することができる。
【０００８】
本発明の家畜用給餌器の上記（１）の構成においては、以下の（２），（３）のような構成にすることが好ましい。
【０００９】
（２）前記給餌槽の前壁の下端と前記餌受板との間隙が前記給餌口とされ、
少なくとも前記前壁の下端部を前後に振動させることによって前記給餌口から前記クランブル状の餌が排出される。
【００１０】
上記（２）の好ましい構成によれば、家畜が鼻や口で前壁の下端部を前後に振動させることにより、食べられる量のクランブル状の餌を給餌口から餌受板上に排出させることができる。
【００１１】
（３）上記（２）の構成において、前記給餌槽の前記前壁の下端部に、前後に振動させることが可能な板状の振動部材が設置され、前記振動部材の下端と前記餌受板との間隙が前記給餌口とされる。
【００１２】
上記（３）の好ましい構成によれば、給餌槽の前壁の下端部が、前記前壁と別体の振動部材で構成されることとなるため、例えば、当該振動部材の厚みを前記前壁の厚みよりも薄くすること等により、家畜が鼻や口で前記前壁の前記下端部を容易に振動させることが可能となる。
【発明の効果】
【００１３】
本発明によれば、クランブル状の餌専用の家畜用給餌器であって、給餌口からクランブル状の餌が排出されるときに、当該クランブル状の餌が手前側に飛び散ってしまうことがなく、また、家畜のおもちゃとなって、食べられる量以上のクランブル状の餌が放出されてしまうことのない家畜用給餌器を提供することができる。
【図面の簡単な説明】
【００１４】
【図１】図１は、本発明の一実施の形態における家畜用給餌器の外観構成を示す斜視図である。
【図２】図２は、図１のII−II線矢視拡大断面図（上部は省略）である。
【図３】図３は、本発明の一実施の形態における家畜用給餌器の作用効果を説明するための図である。
【発明を実施するための形態】
【００１５】
以下、好適な実施の形態を用いて本発明をさらに具体的に説明する。但し、下記の実施の形態は本発明を具現化した例に過ぎず、本発明はこれに限定されるものではない。
【００１６】
（家畜用給餌器の構成）
まず、本発明の一実施の形態における家畜用給餌器の構成について、家畜用給餌器が養豚用給餌器である場合を例に挙げて、図１，図２を参照しながら説明する。
【００１７】
図１は、本発明の一実施の形態における家畜用給餌器の外観構成を示す斜視図、図２は、図１のII−II線矢視拡大断面図（上部は省略）である。
【００１８】
図１，図２に示すように、本実施の形態の家畜用給餌器（養豚用給餌器）１は、クランブル状（顆粒状）の餌５（クランブル飼料）（図３を参照）が収容される給餌槽２と、当該給餌槽２の下端に設けられた、クランブル状の餌５を排出するための給餌口３と、当該給餌口３に臨ませて設けられた、排出されたクランブル状の餌５を受けるための餌受板４と、を備えている。そして、餌受板４は、水平状態となって固定されている。
【００１９】
本実施の形態の家畜用給餌器１の構成によれば、餌受板４が水平状態となって固定されているため、給餌口３からクランブル状の餌５が排出されるときに、当該クランブル状の餌５が手前側に飛び散ってしまうことはない。その結果、給餌器１の周囲が汚くなることを防止することができる。また、給餌槽２に振動を加えなければ給餌口３からクランブル状の餌５が排出されないため、当該家畜用給餌器（養豚用給餌器）１が豚１５（図３を参照）のおもちゃとなって、食べられる量以上のクランブル状の餌５が放出されてしまうことを防止することができる。
【００２０】
図１，図２に示すように、本実施の形態の家畜用給餌器１においては、給餌槽２の前壁６の下端と餌受板４との間隙が給餌口３とされ、少なくとも前壁６の下端部を前後に振動させることによって給餌口３から餌５が排出されるように構成されていることが好ましい（図２の両矢印Ａを参照）。かかる好ましい構成によれば、豚１５が鼻や口で前壁６の下端部を振動させることにより、食べられる量のクランブル状の餌５を給餌口３から餌受板４上に排出させることができる。尚、実際には、給餌器１の全体が揺れて、給餌口３から餌５が排出される。
【００２１】
本実施の形態の家畜用給餌器１においては、さらに、給餌槽２の前壁６の下端部に、前後に振動させることが可能な板状の振動部材１０が設置され（図２の両矢印Ａを参照）、振動部材１０の下端と餌受板４との間隙が給餌口３とされることが好ましい。かかる好ましい構成によれば、給餌槽２の前壁６の下端部が、前壁６と別体の振動部材１０で構成されることとなるため、例えば、当該振動部材１０の厚みを前壁６の厚みよりも薄くすること等により、豚１５が鼻や口で前壁６の下端部を容易に振動させることが可能となる。
【００２２】
以下、さらに詳細に説明する。
図１，図２に示すように、本実施の形態の家畜用給餌器１においては、前壁６と、後壁７と、左右の側壁８，９と、により、給餌槽（ホッパ）２が形成されている。前壁６と後壁７との間隔は、給餌槽２の上端から下端に行くにしたがって漸次縮小するようにされている。また、前壁６の下端部には、豚１５が鼻や口で前後に振動させることが可能な、左右に延びる薄板状の振動部材１０が設置されている。給餌槽２の下端には、後壁７の下端部を折り曲げ加工することによって餌受板４が形成されている。ここで、振動部材１０の下端と餌受板４との間には、間隙が形成されており、当該間隙が給餌口３としての役割を果たす。
振動部材１０は、上下移動可能に設置されている（図２の両矢印Ｂを参照）。そして、これにより、振動部材１０の下端と餌受板４との間の間隙を、使用するクランブル状の餌の大きさ等に応じて調整することができる。
【００２３】
餌受板４の前方には、下方に窪ませて底皿１１が配設されている。底皿１１には、放水口１２が設置されている。そして、これにより、送水パイプ１３を通じて底皿１１内に水を溜めることができるようにされている。底皿１１内に溜まった水は豚１５の飲み水となる。
【００２４】
本実施の形態の家畜用給餌器１においては、給餌槽２の前壁６と底皿１１とに掛け渡して３枚の仕切板１４が等間隔で取り付けられている。これにより、それぞれ豚１頭が入る４つの給餌区画が形成されている。尚、上記した放水口１２は、各給餌区画内にそれぞれ１つずつ設置されている。
【００２５】
（家畜用給餌器の構成による作用効果）
次に、本実施の形態における家畜用給餌器１の構成による作用効果ついて、図３をも参照しながら説明する。
【００２６】
図３は、本発明の一実施の形態における家畜用給餌器の作用効果を説明するための図である。
【００２７】
図３に示すように、給餌槽２には、クランブル状（顆粒状）の餌５（クランブル飼料）が収容されている。我国においては、飼料作物の栽培も少ないために、出来るだけ餌を無駄にせず消化吸収率の良いクランブル状の餌を使用するケースが増加している。このクランブル状の餌は、サラサラしていて流動性に富み、一粒一粒がくっつき合わない形状のものである。
【００２８】
本実施の形態の家畜用給餌器１においては、餌受板４が水平状態となって固定されているため、餌として、サラサラしていて流動性に富むクランブル状の餌５を使用する場合であっても、給餌口３から当該クランブル状の餌５が排出されるときに、クランブル状の餌５が手前側に飛び散ってしまうことはない。その結果、給餌器１の周囲がクランブル状の餌５で汚くなることを防止することができる。
また、サラサラしていて流動性に富むクランブル状の餌５を使用する場合であっても、前壁６の下端部に設置された薄板状の振動部材１０を、豚１５が鼻や口で前後に振動させなければ、餌５が給餌口３から排出されることはないため、当該家畜用給餌器（養豚用給餌器）１が豚１５のおもちゃとなって、食べられる量以上のクランブル状の餌５が放出されてしまうことを防止することができる。
すなわち、本実施の形態の家畜用給餌器１は、クランブル状の餌専用の給餌器として適したものとなっている。
【００２９】
尚、本実施の形態においては、家畜用給餌器が養豚用給餌器である場合を例に挙げて説明したが、本発明は必ずしもこのような構成に限定されるものではない。本発明の家畜用給餌器は、牛等の他の家畜用としても使用することもできる。
【００３０】
また、本実施の形態においては、振動部材１０を容易に振動させるために、当該振動部材１０の厚みを前壁６の厚みよりも薄くする場合を例に挙げて説明したが、本発明は必ずしもこのような構成に限定されるものではない。例えば、振動部材１０の材質を前壁６の材質と異ならせることにより、振動部材１０を振動させやすくしてもよい。
【００３１】
また、本実施の形態においては、餌受板４の全体が、水平状態となって固定されている場合を例に挙げて説明したが、本発明は必ずしもこのような構成に限定されるものではない。餌受板の少なくとも前端部分を除く部分が水平状態となっていれば、本発明の家畜用給餌器は上記した所期の効果を発揮することができる。
餌受板の前端部分は、上方に傾いていることが好ましい。かかる好ましい構成によれば、当該上傾部分でクランブル状の餌５を止めることができ、クランブル状の餌５が手前側に飛び散ってしまうことを完全に防止することができる。
【符号の説明】
【００３２】
１  家畜用給餌器（養豚用給餌器）
２  給餌槽
３  給餌口
４  餌受板
５  クランブル状の餌
６  前壁
７  後壁
８，９  側壁
１０  振動部材
１１  底皿
１２  放水口
１３  送水パイプ
１４  仕切板
１５  豚
【図１】
2020115829.tif 000003
【図２】
2020115829.tif 000004
【図３】
2020115829.tif 000005